(57)【要約】【課題】乗り物のシートに長時間座ったままの姿勢で休息や睡眠をとる場合に、首に負担がかからず、後頭部あるいは側頭部も良好に支持して首が痛くなることもなくなり、常に頭部を安定した状態に保持できる携帯枕を提供する。【解決手段】可撓性素材により密閉袋状に形成され弁を有する空気注入・排出口を通して空気を注入することにより膨らませて使用される携帯枕１０において、膨らませた状態において頸部に係合する湾曲凹部１６が形成され片面側に面状ファスナが一体に取着された枕本体１２と、膨らませた状態において後頭部に当接する当接部２０が形成され片面側に面状ファスナが一体に取着された補助枕１４とから構成され、枕本体と補助枕とを、各々に取着された各面状ファスナを介して一体的に接合可能とした。【選択図】      図１
2004275571.tif 000002
【特許請求の範囲】
【請求項１】
可撓性素材により密閉袋状に形成され、弁を有する空気注入・排出口を通して空気を注入することにより膨らませて使用される携帯枕において、
膨らませた状態において頸部に係合する湾曲凹部が形成され、片面側に接合手段が一体に取着された枕本体と、
膨らませた状態において後頭部に当接する当接部が形成され、片面側に接合手段が一体に取着された補助枕と、
から構成され、前記枕本体と前記補助枕とを、各々に取着された各接合手段を介して一体的に接合可能としたことを特徴とする携帯枕。
【請求項２】
前記補助枕の当接部が、後頭部に沿った湾曲形状に形成された請求項１記載の携帯枕。
【請求項３】
前記各接合手段がそれぞれ面状ファスナである請求項１または請求項２記載の携帯枕。
【請求項４】
前記面状ファスナが前記枕本体および前記補助枕にそれぞれ左右一対取着された請求項３記載の携帯枕。
【発明の詳細な説明】
【０００１】
【発明の属する技術分野】
この発明は、長距離列車、飛行機、自動車等の乗り物を利用して移動する場合などに携帯され、シートに座って背中を背凭れに凭れかけさせた状態において首を支持し頭部を固定して快適な姿勢が得られるようにする携帯枕に関する。
【０００２】
【従来の技術】
この種の携帯枕は、可撓性素材、例えば塩化ビニル等の合成樹脂製シート材、合成ゴム製シート材、気密加工された化学繊維製布帛をベロア加工したシート材などにより密閉袋状に形成され、弁付きの空気注入・排出口を通して空気を注入することにより膨らませて使用される。特に長距離列車、飛行機、自動車等の乗り物に長時間乗って移動する場合などに重宝する携帯枕は、一般に、膨らませた状態において頸部に係合する湾曲凹部が形成されたコの字形の平面形状を有している。この携帯枕を使用するときは、首の後ろ側から湾曲凹部を頸部に差し入れて頸部に係合させる。この状態でシートに座って背中を背凭れに凭れかけさせると、携帯枕の後部によって頸部が適当な角度で支持され、背凭れに対して頭部が固定される。これにより、使用者は、好ましい姿勢で休息し安眠することが可能になる（例えば、特許文献１参照）。
【０００３】
【特許文献１】
特開２００１−３０９８４０号公報（第２−３頁、図１−図１１）
【０００４】
【発明が解決しようとする課題】
しかしながら、従来の携帯枕は、首を支持するだけのものであり、頭部全体の重みが首に作用することになる。このため、同じ姿勢で長時間、シートに座っていると、首に負担がかかることになる。また、シートの形状や身長などによっては、携帯枕の湾曲凹部と係合している頸部より上の後頭部が後方へ傾き過ぎ、頸部の角度が不適切になって、長時間そのままの姿勢でいると首が痛くなる、といったことも起こる。一方、携帯枕を頸部から若干上方へずらして後頭部に携帯枕の後部を当てようとすると、携帯枕の湾曲凹部と頸部との係合状態が浅くなり、携帯枕による頸部の支持が不十分になって、背凭れに対する頭部の安定性が損なわれる、といった問題点がある。
【０００５】
また、シートに対し身体を横向きにして片側の上腕部を背凭れに着け、首を背凭れ側へ少し捻って側頭部を背凭れ側に倒すように首を傾けた姿勢で、休息や睡眠をとろうとすると、従来の携帯枕では、側頭部が支持されないために、左右方向への頭部の傾きが大きくなり過ぎて、直ぐに首が痛くなる。
【０００６】
この発明は、以上のような事情に鑑みてなされたものであり、乗り物などのシートに長時間座ったままの姿勢で休息や睡眠をとる場合において、首に負担がかかることがなく、後頭部あるいは側頭部も良好に支持して、首が痛くなるといったこともなくなり、常に頭部を安定した状態に保持することができる携帯枕を提供することを目的とする。
【０００７】
【課題を解決するための手段】
請求項１に係る発明は、可撓性素材により密閉袋状に形成され、弁を有する空気注入・排出口を通して空気を注入することにより膨らませて使用される携帯枕において、膨らませた状態において頸部に係合する湾曲凹部が形成され、片面側に接合手段が一体に取着された枕本体と、膨らませた状態において後頭部に当接する当接部が形成され、片面側に接合手段が一体に取着された補助枕とから構成され、前記枕本体と前記補助枕とを、各々に取着された各接合手段を介して一体的に接合可能としたことを特徴とする。
【０００８】
請求項２に係る発明は、請求項１記載の携帯枕において、前記補助枕の当接部を、後頭部に沿った湾曲形状に形成したことを特徴とする。
【０００９】
請求項３に係る発明は、請求項１または請求項２記載の携帯枕において、前記各接合手段がそれぞれ面状ファスナであることを特徴とする。
【００１０】
請求項４に係る発明は、請求項３記載の携帯枕において、前記面状ファスナを前記枕本体および前記補助枕にそれぞれ左右一対取着したことを特徴とする。
【００１１】
請求項１に係る発明の携帯枕においては、枕本体の片面側の後部に補助枕を積み重ねるように一体的に接合したとき、首の後ろ側から湾曲凹部を頸部に差し入れて枕本体を頸部に係合させると、補助枕が後頭部に当接した状態となる。この状態でシートに座って背中を背凭れに凭れかけさせると、枕本体の後部によって頸部が適当な角度で支持され、背凭れに対して頭部が固定され安定するとともに、後頭部と背凭れとの間に補助枕が介在して、補助枕によって後頭部が支えられる。したがって、頭部の重みは首から後頭部にかけて作用することになるので、同じ姿勢で長時間、シートに座っていても、首に負担がかかることはない。また、補助枕によって後頭部が支えられて、頸部の角度が適切に保持されるので、首が痛くなることもない。
【００１２】
また、補助枕は、接合手段によって枕本体に着脱可能に接合することができるので、枕本体への補助枕の接合位置を適当に変えることにより、例えば、枕本体の片面側の一方の側部に補助枕を積み重ねるように一体的に接合することにより、シートに対し身体を横向きにして片側の上腕部を背凭れに着け、首を背凭れ側へ少し捻って側頭部を背凭れ側に倒すように首を傾けた姿勢をとろうとしたときでも、側頭部が補助枕によって支持され、左右方向への頭部の傾きが適切に保持されるので、首が痛くなることがない。
【００１３】
請求項２に係る発明の携帯枕では、補助枕の当接部が後頭部に沿った湾曲形状に形成されることにより、頭部をより安定した状態に保持することができる。
【００１４】
請求項３に係る発明の携帯枕では、面状ファスナによって補助枕を枕本体に簡単に着脱させることができる。
【００１５】
請求項４に係る発明の携帯枕では、枕本体の片面側の後部に補助枕を積み重ねるように接合するときは、枕本体の左右一対の面状ファスナと補助枕の左右一対の面状ファスナとを互いにそれぞれ接続させるようにし、また、枕本体の片面側の一方の側部に補助枕を積み重ねるように接合するときは、枕本体の一方の面状ファスナと補助枕の一方の面状ファスナとを接続させるようにして、枕本体への補助枕の接合位置を適当に変えることができる。
【００１６】
【発明の実施の形態】
以下、この発明の好適な実施形態について図面を参照しながら説明する。
【００１７】
図１ないし図３は、この発明の実施形態の１例を示し、図１は、携帯枕の斜視図であり、図２は、その平面図であり、図３は、それを正面から見た図である。この携帯枕１０は、従来の携帯枕と同様の形状を有する枕本体１２と、この枕本体１２より小形の補助枕１４との２つの部分から構成されている。
【００１８】
枕本体１２および補助枕１４はそれぞれ、同一形状に切り抜かれた２枚の可撓性シート材、例えば塩化ビニル等の合成樹脂製シート材、合成ゴム製シート材、気密加工された化学繊維製布帛をベロア加工したシート材などをぴったりと重ね合わせ、周縁部をシール加工することにより、密閉袋状に形成されている。そして、枕本体１２は、図４に平面図を示すように、従来の携帯枕と同様の形状、すなわち、膨らませた状態において頸部に係合する湾曲凹部１６が形成されたコの字形の平面形状を有している。湾曲凹部１６は、頸部から脱落しにくいように、その入口部分が奥部より狭まっている。また、枕本体１２の湾曲凹部１６の内周縁には、首に当接して首と枕本体１２の湾曲凹部１６との係合性を高めるために、ひれ状の突出部１８ａ、１８ｂ、１８ｃが一体に形設されている。一方、補助枕１４は、図５に平面図を示すように、膨らませた状態において後頭部に当接する当接部２０を有し、その当接部２０が、後頭部に沿った湾曲形状に形成されて、全体が三日月形をなす平面形状を有している。
【００１９】
枕本体１２および補助枕１４には、それぞれ１個の弁付きの空気注入・排出口２２、２４が設けられている。枕本体１２および補助枕１４は、その各空気注入・排出口２２、２４を通してそれぞれ空気を注入することにより膨らませて使用される。また、枕本体１２および補助枕１４には、それぞれ片面側に左右一対の面状ファスナ２６、２６、２８、２８が一体に取着されている。そして、枕本体１２と補助枕１４とは、各々に取着された各面状ファスナ２６、２６、２８、２８を介して接合することにより一体化することができ、また、各面状ファスナ２６、２６、２８、２８を引き剥がすことにより分離することができるようになっている。
【００２０】
図１ないし図３は、枕本体１２の左右一対の面状ファスナ２６、２６と補助枕１４の左右一対の面状ファスナ２８、２８とを互いにそれぞれ接続させ、枕本体１２の片面側の後部に補助枕１４を積み重ねるように接合して一体化した状態の携帯枕１０を示している。この状態の携帯枕１０では、首の後ろ側から湾曲凹部１６を頸部に差し入れて枕本体１２を頸部に係合させたときに、後頭部に沿った湾曲形状に形成された補助枕１４の当接部２０が後頭部に当接する。この状態において、シートに座って背中を背凭れに凭れかけさせると、枕本体１２の後部によって頸部が適当な角度で支持され、背凭れに対して頭部が固定されるとともに、後頭部と背凭れとの間に補助枕１４が介在して、補助枕１４によって後頭部が支えられる。このため、同じ姿勢で長時間、シートに座っていても、首に負担がかかることはない。また、補助枕１４によって後頭部が支えられて、頸部の角度が適切に保持されるので、首が痛くなることもない。
【００２１】
図６は、枕本体１２の一方の面状ファスナ２６と補助枕１４の一方の面状ファスナ２８とを接続させ、枕本体１２の片面側の一方の側部に補助枕１４を積み重ねるように接合して一体化した状態の携帯枕１０を示している。この状態の携帯枕１０では、シートに対し身体を横向きにして片側の上腕部を背凭れに着け、首を背凭れ側へ少し捻って側頭部を背凭れ側に倒すように首を傾けた姿勢をとろうとしたときでも、側頭部が補助枕１４によって支持され、左右方向への頭部の傾きが適切に保持される。このため、首が痛くなることがない。このように、この携帯枕１０は、補助枕１４が面状ファスナ２６、２８によって枕本体１２に着脱可能に接合するので、枕本体１２への補助枕１４の接合位置を適当に変えることが可能であり、それによって異なる使用形態に適応することができる。
【００２２】
なお、上記した実施形態では、枕本体１２と補助枕１４とを接合する手段として面状ファスナ２６、２８を用いるようにしたが、それ以外の接合手段、例えばスナップ等を用いるようにしてもよい。
【００２３】
また、上記実施形態では、枕本体１２と補助枕１４とにそれぞれ左右一対の矩形状の面状ファスナ２６、２８をそれぞれ取着するようにしたが、面状ファスナの形状や大きさ、取着数などは、上記実施形態のものに限らない。例えば、うに、枕本体１２の片面側に、その後部のほぼ全体にわたる長さを有する帯状の面状ファスナ３０を一体に取着するようにしてもよい。このような構成としたときは、図８に携帯枕１０の平面図を示すように、枕本体１２の片面側の一方の側部に補助枕１４を、枕本体１２の後部および側部に対してそれぞれ斜め方向となるように接合することができる。
【００２４】
【発明の効果】
請求項１に係る発明の携帯枕を使用すると、乗り物などのシートに長時間座ったままの姿勢で休息や睡眠をとる場合において、首に負担がかかることがなく、後頭部あるいは側頭部も良好に支持して、首が痛くなるといったこともなくなり、常に頭部を安定した状態に保持することができる。
【００２５】
請求項２に係る発明の携帯枕では、頭部をより安定した状態に保持することができる。
【００２６】
請求項３に係る発明の携帯枕では、補助枕を枕本体に簡単に着脱させることができる。
【００２７】
請求項４に係る発明の携帯枕では、枕本体への補助枕の接合位置を適当に変えることができる。
【図面の簡単な説明】
【図１】この発明の実施形態の１例を示す携帯枕の斜視図である。
【図２】図１に示した携帯枕の平面図である。
【図３】図１に示した携帯枕を正面から見た図である。
【図４】図１に示した枕本体の構成要素の１つである枕本体の平面図である。
【図５】図１に示した枕本体の構成要素の１つである補助枕の平面図である。
【図６】図１に示した携帯枕の、図１ないし図３に示した使用形態とは異なる使用形態を示す平面図である。
【図７】この発明の別の実施形態を示し、枕本体の構成要素の１つである枕本体の平面図である。
【図８】図７に示した枕本体を有する携帯枕の使用形態の１例を示す平面図である。
【符号の説明】
１０  携帯枕
１２  枕本体
１４  補助枕
１６  枕本体の湾曲凹部
１８ａ、１８ｂ、１８ｃ  ひれ状の突出部
２０  補助枕の当接部
２２、２４  弁付きの空気注入・排出口
２６、２８、３０  面状ファスナ
【図１】
2004275571.tif 000003
【図２】
2004275571.tif 000004
【図３】
2004275571.tif 000005
【図４】
2004275571.tif 000006
【図５】
2004275571.tif 000007
【図６】
2004275571.tif 000008
【図７】
2004275571.tif 000009
【図８】
2004275571.tif 000010